(57)【要約】【課題】提案した最短ルートが最適なルートである旨を利用者が直感的に把握することができる車載ナビゲーション装置を提供する。【解決手段】車載ナビゲーション装置１０は、目的地まで最短時間で到達する最短ルートを探索する最短ルート探索機能が実行されると、道路ネットワークリンク毎の渋滞情報を含む交通情報データを交通情報データ取得部１２によって外部から取得し、道路ネットワークを構成するノード情報及びリンク情報を含む２次元の地図データと、取得した交通情報データとに基づいて、ルート探索部１３によって最短ルートを含む１つ以上のルートを探索するとともに、各リンク情報に付与されている渋滞度を３番目の次元として２次元の地図データの地形を誇張した３次元の地図データに、最短ルートを含む１つ以上のルートを重畳表示するような情報を作成し、所定の表示部１４に表示させる。【選択図】図１
2009264939.tif 000002
【特許請求の範囲】
【請求項１】
車両内に搭載され、目的地までのルート案内を行う車載ナビゲーション装置において、
道路ネットワークを構成するノード情報及びリンク情報を含む２次元の地図データを格納する地図データ格納手段と、
道路ネットワークリンク毎の渋滞情報を含む交通情報データを取得する交通情報データ取得手段と、
前記地図データ格納手段に格納されている地図データと、前記交通情報データ取得手段によって取得された交通情報データとに基づいて、自車両のルート案内を行うために設定された出発地から目的地までのルートを探索するルート探索手段と、
前記地図データ格納手段から読み出された地図データに、前記ルート探索手段によって探索されたルートを重畳表示し、運転者に目的地までのルートを提示する表示手段とを備え、
前記ルート探索手段は、目的地まで最短時間で到達する最短ルートを探索する最短ルート探索機能が実行されると、最短ルートを含む１つ以上のルートを探索するとともに、各リンク情報に付与されている渋滞度を３番目の次元として前記地図データ格納手段に格納されている前記２次元の地図データの地形を誇張した３次元の地図データに、前記最短ルートを含む１つ以上のルートを重畳表示するような情報を作成し、前記表示手段に表示させること
を特徴とする車載ナビゲーション装置。
【請求項２】
前記ルート探索手段は、渋滞度が付与された各リンク情報の中心点に重みとして当該渋滞度を付与した上で、各ノード情報に対して、当該ノード情報に接続されているリンク情報の渋滞度の平均値を重みとして付与し、各ノード情報と各リンク情報の中心点とに付与した渋滞度を３番目の次元として前記地図データ格納手段に格納されている前記２次元の地図データに割り当て、前記３次元の地図データを作成すること
を特徴とする請求項１記載の車載ナビゲーション装置。
【請求項３】
車両内に搭載される車載ナビゲーション装置が、目的地まで最短時間で到達する最短ルートを探索する最短ルート探索機能が実行されると、道路ネットワークリンク毎の渋滞情報を含む交通情報データを取得する取得工程と、
道路ネットワークを構成するノード情報及びリンク情報を含む２次元の地図データと、前記取得工程にて取得された交通情報データとに基づいて、最短ルートを含む１つ以上のルートを探索するルート探索工程と、
各リンク情報に付与されている渋滞度を３番目の次元として前記２次元の地図データの地形を誇張した３次元の地図データに、前記最短ルートを含む１つ以上のルートを重畳表示するような情報を作成し、所定の表示手段に表示させる表示工程とを備えること
を特徴とする車両用ナビゲーション方法。
【発明の詳細な説明】
【技術分野】
【０００１】
本発明は、目的地までのルート案内を行う車載ナビゲーション装置及び車両用ナビゲーション方法に関する。
【背景技術】
【０００２】
目的地までのルート案内を行う車両用ナビゲーションシステムにおいては、その機能の１つとして、目的地まで最短時間で到達するルートを探索する最短ルート探索機能を有するものがある。この最短ルート探索機能は、ルート探索時におけるリアルタイムの交通情報と、必要に応じて、予測される将来の交通情報とを考慮したときに、渋滞を回避して最速で目的地まで到達するルートを算出する機能である。
【０００３】
また、かかる最短ルート探索機能に関連して、例えば、地図表示画面上において、最短ルート探索によって算出された最短ルートと、通常のルート探索によって算出された通常ルートとを双方表示し、それぞれのルート上に渋滞情報等の交通情報を視覚的に提示するものや、最短ルート及び通常ルートのそれぞれについての所要時間を示す視覚的なインジケータを作成し、そのインジケータ上に渋滞情報等の交通情報を視覚的に提示するもの等、運転者に当該最短ルート探索機能の利便性を感じさせる手法が提案されている（例えば、特許文献１乃至特許文献３等参照。）。
【特許文献１】特開平１０−１２３９４４号公報
【特許文献２】特開２００３−１４８９７２号公報
【特許文献３】特開２００６−１６２３２３号公報
【発明の開示】
【発明が解決しようとする課題】
【０００４】
しかしながら、上述した特許文献１乃至特許文献３に記載された従来の技術における交通情報の表現方法は、直感性が低く、利用者に最短ルートの魅力を伝え切れていない。そのため、殆どの利用者は、最短ルートの妥当性に疑念を抱き、自らルートを考えて提案されたルートを無視してしまう傾向にあるのが現状である。かかる傾向は、本願発明者が実施した調査によって確認済みである。
【０００５】
そこで、本発明は、上述した実情に鑑みて提案されたものであり、提案した最短ルートが最適なルートである旨を利用者が直感的に把握することができる車載ナビゲーション装置及び車両用ナビゲーション方法を提供することを目的とする。
【課題を解決するための手段】
【０００６】
本発明は、目的地まで最短時間で到達する最短ルートを探索する最短ルート探索機能が実行されると、道路ネットワークリンク毎の渋滞情報を含む交通情報データを外部から取得し、道路ネットワークを構成するノード情報及びリンク情報を含む２次元の地図データと、取得した交通情報データとに基づいて、最短ルートを含む１つ以上のルートを探索するとともに、各リンク情報に付与されている渋滞度を３番目の次元として２次元の地図データの地形を誇張した３次元の地図データに、最短ルートを含む１つ以上のルートを重畳表示するような情報を作成し、所定の表示手段に表示させる。
【発明の効果】
【０００７】
本発明によれば、探索したルートの渋滞情報を視覚的に誇張した情報を作成して表示手段に表示させることにより、渋滞度が低いルートが、目的地までの所要時間が短い最短ルートである旨を運転者に直感的に把握させることができる。
【発明を実施するための最良の形態】
【０００８】
以下、本発明の好適な実施形態としての車載ナビゲーション装置について具体的に説明する。
【０００９】
［車載ナビゲーション装置の構成］
図１に示すように、本発明の実施形態として示す車載ナビゲーション装置１０は、地図データを格納する地図データ格納部１１と、外部から交通情報データを取得する交通情報データ取得部１２と、ルート探索を行うルート探索部１３と、地図データをはじめとする各種情報を表示する表示部１４とを有する。
【００１０】
地図データ格納部１１は、例えばハードディスク等からなり、自車両のルート案内を行う際に用いるノード情報及びリンク情報を含む地図データを格納する。この地図データ格納部１１に格納された地図データは、ルート探索部１３によって読み出される。
【００１１】
交通情報データ取得部１２は、ＶＩＣＳ（Vehicle Information and Communication System）センタ等、外部の交通情報センタ２０から道路の渋滞情報等の交通情報データを取得する。交通情報データ取得部１２は、取得した交通情報データをルート探索部１３に供給する。
【００１２】
ルート探索部１３は、地図データ格納部１１に格納されている地図データと、交通情報データ取得部１２によって取得された交通情報データとに基づいて、自車両のルート案内を行うために設定された出発地から目的地までのルートを探索する。特に、ルート探索部１３は、目的地まで最短時間で到達するルートを探索する最短ルート探索機能を有し、後述するように、探索したルートの渋滞情報を視覚的に提示する情報を作成する。ルート探索部１３は、探索したルートを示すルート情報を、地図データ格納部１１に格納されている地図データとともに表示部１４に表示させる。
【００１３】
表示部１４は、自車両のルート案内を行う際に、地図データ格納部１１に格納されている地図データをはじめとする各種情報を表示し、運転者に目的地までのルートを提示する。
【００１４】
［車載ナビゲーション装置の動作］
このような車載ナビゲーション装置１０は、自車両内に搭載され、運転者の操作に応じて、当該自車両のルート案内を行う際に最短ルート探索機能が実行されると、ルート探索部１３により、１つ以上のルートを探索するとともに、探索したルートの渋滞情報を視覚的に誇張した情報を作成し、表示部１４に表示させる。
【００１５】
具体的には、ルート探索部１３は、地図データ格納部１１に格納されている２次元の地図データを拡張して３番目の次元として渋滞度を付与し、地形を誇張した地図データを作成する。そして、ルート探索部１３は、例えば図２に示すように、渋滞度合いに応じて誇張された地図データに、最短ルートを含む１つ以上のルートＬ１，Ｌ２を重畳表示する。
【００１６】
ルート探索部１３は、このような渋滞情報を視覚的に誇張して提示するための情報を作成する際に、例えば図３に示すように、交差点と交差点の間の道路文節を示す各リンク情報毎の渋滞情報を利用する。すなわち、ルート探索部１３は、交通情報データ取得部１２によって交通情報センタ２０等から取得した渋滞情報を利用する。
【００１７】
このとき、ルート探索部１３は、例えば渋滞度が低、中、大である、といったように、取得した情報に渋滞度を示す定性的なデータしか含まれていない場合には、例えば低＝１、中＝２、大＝３といったように、その渋滞度を定量的な値に変換する。
【００１８】
続いて、ルート探索部１３は、例えば図４に示すように、渋滞度が付与された各リンク情報の中心点に重みとして当該渋滞度を付与した上で、図５に示すように、道路ネットワークを構成する各ノード情報（１つ以上のリンク終始点）に対して、当該ノード情報に接続されているリンク情報の渋滞度の平均値を重みとして付与する。例えば、ルート探索部１３は、渋滞度が、それぞれ、１，１，２，３である４本のリンクが接続されているノードについては、これら４つの渋滞度の平均値である１．７５（＝（１＋１＋２＋３）／４）を付与する。
【００１９】
そして、ルート探索部１３は、例えば図６に示すように、地図データ格納部１１に格納されている２次元の地図データがＸ軸とＹ軸とからなるものとすると、これらＸ軸及びＹ軸と直交するＺ軸の値として、各ノード情報と各リンク情報の中心点とに付与した渋滞度を割り当て、これら各ノード情報と各リンク情報の中心点とを通る地形からなる３次元の地図データを３次元コンピュータグラフィックスで作成する。
【００２０】
ルート探索部１３は、このようにして作成された３次元の地図データに、最短ルートを含む１つ以上のルートを重畳表示し、先に図２に示したような情報を作成し、表示部１４に表示させる。すなわち、ルート探索部１３は、出発地から目的地までのルートとして２つのルートＬ１，Ｌ２を探索した場合には、渋滞度が低いルートＬ１については、元の２次元の地図データと同様に平地に設置されているルートとして表示部１４に表示させる一方で、渋滞領域Ｔが多く渋滞度が高いリンク情報を含むルートＬ２については、恰も山道であるかのように表示部１４に表示させる。
【００２１】
なお、図２に示す３次元の地図データに対応する元の２次元の地図データに、渋滞情報とともにルートを重畳表示させた場合には、図７に示すようになる。これら図２と図７とを比較すると、図７に示す地図データが表示部１４に表示された場合には、ルートＬ１よりもルートＬ２の方が、一見距離が短く目的地までの所要時間が最短となるものと運転者に認識させるものの、図２に示す地図データが表示部１４に表示された場合には、渋滞度が高いルートＬ２が山道のように認識され且つ渋滞度が低いルートＬ１が平地の道路のように認識されることから、山道よりは平地が速いという一般感覚を活かして、平地範囲内に見えるルートＬ１が、目的地までの所要時間が短い最短ルートであるものと運転者に把握させることができる。
【００２２】
このように、車載ナビゲーション装置１０においては、探索したルートの渋滞情報を視覚的に誇張した情報を作成して表示部１４に表示させることにより、提案した最短ルートが最適なルートである旨を運転者に直感的に把握させることができる。
【００２３】
［実施形態の効果］
以上詳細に説明したように、本発明の実施形態として示した車載ナビゲーション装置１０は、目的地まで最短時間で到達する最短ルートを探索する最短ルート探索機能が実行されると、道路ネットワークリンク毎の渋滞情報を含む交通情報データを交通情報データ取得部１２によって外部から取得し、道路ネットワークを構成するノード情報及びリンク情報を含む２次元の地図データと、取得した交通情報データとに基づいて、ルート探索部１３によって最短ルートを含む１つ以上のルートを探索するとともに、各リンク情報に付与されている渋滞度を３番目の次元として２次元の地図データの地形を誇張した３次元の地図データに、最短ルートを含む１つ以上のルートを重畳表示するような情報を作成し、所定の表示部１４に表示させる。
【００２４】
このように、この車載ナビゲーション装置１０においては、探索したルートの渋滞情報を視覚的に誇張した情報を作成して表示部１４に表示させることにより、渋滞度が低いルートが、目的地までの所要時間が短い最短ルートである旨を運転者に直感的に把握させることができる。
【００２５】
また、この車載ナビゲーション装置１０において、ルート探索部１３は、渋滞度が付与された各リンク情報の中心点に重みとして当該渋滞度を付与した上で、各ノード情報に対して、当該ノード情報に接続されているリンク情報の渋滞度の平均値を重みとして付与し、各ノード情報と各リンク情報の中心点とに付与した渋滞度を３番目の次元として地図データ格納部１１に格納されている２次元の地図データに割り当て、３次元の地図データを作成する。
【００２６】
これにより、この車載ナビゲーション装置１０においては、探索したルートの渋滞情報を視覚的に誇張した情報を適切に作成することができる。
【００２７】
なお、上述の実施の形態は本発明の一例である。このため、本発明は、上述の実施の形態に限定されることはなく、この実施の形態以外の形態であっても、本発明に係る技術的思想を逸脱しない範囲であれば、設計などに応じて種々の変更が可能であることは勿論である。
【図面の簡単な説明】
【００２８】
【図１】本発明の実施形態として示す車載ナビゲーション装置の構成について示すブロック図である。
【図２】本発明の実施形態として示す車載ナビゲーション装置が、探索したルートの渋滞情報を視覚的に誇張して作成する地図データの具体例を示す図である。
【図３】渋滞情報が付加された道路ネットワークを構成するリンク情報の具体例を示す図である。
【図４】図３に示す道路ネットワークを構成する各リンク情報の中心点に重みとして渋滞度を付与した様子を示す図である。
【図５】図４に示す道路ネットワークを構成する各ノード情報に対して、当該ノード情報に接続されているリンク情報の渋滞度の平均値を重みとして付与した様子を示す図である。
【図６】各ノード情報と各リンク情報の中心点とに付与した渋滞度を割り当てて作成した３次元の地図データの具体例を示す図である。
【図７】図２に示す３次元の地図データに対応する元の２次元の地図データの具体例を示す図である。
【符号の説明】
【００２９】
１０  車載ナビゲーション装置
１１  地図データ格納部
１２  交通情報データ取得部
１３  ルート探索部
１４  表示部
２０  交通情報センタ
【図１】
2009264939.tif 000003
【図２】
2009264939.tif 000004
【図３】
2009264939.tif 000005
【図４】
2009264939.tif 000006
【図５】
2009264939.tif 000007
【図６】
2009264939.tif 000008
【図７】
2009264939.tif 000009